Podtech/llm-jp-corpus-v4-ja_patent huggingface dataset:
(57)【要約】      （修正有）【課題】軟弱地盤で施工される現場打ちコンクリート杭においては、鉄筋篭外周に装着される透水性ネットに所要の強度と適正な鉄筋篭からの離れを確保することが大きな課題である。【解決手段】この課題を解決するために、竪筋の外側所要箇所に外方に張出すスペーサー３を固着し、スペーサーの外側にネット取付けリング４を固着し、そのネット取付けリングに透水性ネット５を番線で折返して複数層としてある部分において取付けてある。【選択図】  図１
2007002550.tif 000002
【特許請求の範囲】
【請求項１】
鉄筋篭の竪筋の外側所要箇所に外方に張出すスペーサーを固着し、スペーサーの外側にネット取付けリングを固着し、そのネット取付けリングに、透水性ネットを番線で折返して複数層としてある部分において取付けてあることを特徴とするコンクリート杭用補強篭。
【発明の詳細な説明】
【技術分野】
【０００１】
この発明はネットを使用するコンクリート杭用補強篭に関するものである。
【背景技術】
【０００２】
出願人、発明者は従来現場打ちコンクリート杭の鉄筋篭の外周に透水性ネットを使用する工法を実施してきた。    
【特許文献１】実公平０７−０２６４１３号公報
【特許文献２】特公昭５８−００３０９２号公報
【発明の開示】
【発明が解決しようとする課題】
【０００３】
ところで、透水性ネットを鉄筋から所要間隔を保持し、かつ所要の強度を保持しながら簡便に取り付けうる構造の開発、改良が要望された。特に軟弱地層の場合コンクリートの打設時に重圧で透水ネットが破損する恐れがあり、補強することが要望された。
【課題を解決するための手段】
【０００４】
この発明は鉄筋篭の竪筋の外側所要箇所に外方に張出すスペーサーを固着し、スペーサーの外側にネット取付けリングを固着し、そのネット取付けリングに、透水性ネットを番線で折返して複数層としてある部分において取付けてある。
【発明の効果】
【０００５】
この発明は前記構成からなり、鉄筋篭の所要位置の竪筋に外方に張出すスペーサーを固着し、そのスペーサーの外側にネット取付けリングを固着し、そのネット取付けリングに透水性ネットを番線で折返して複数層としてある部分において取付けるので、複数層部分が補強帯となり、かつその取付け作業が容易となり、またスペーサーを介在させるので鉄筋篭のコンクリートのかぶり量を十分確保することができる。
【発明を実施するための最良の形態】
【０００６】
この発明の鉄筋篭は従来のものと同様に多数本の竪鉄筋１を所要間隔のフープ筋２で編成してある。竪筋１の外側所要間隔に略  ］状等外方に張出すスペーサー３が固着され、このスペーサー３の外側にフープ筋状をなすネット取付け  リング４が固着されている。そのネット取付けリング４に透水性布等からなる透水ネット５が番線６を利用して折返して複数層としてある部分において取付けてある。
【０００７】
現場打ちコンクリートは透水ネット５内に充填してコンクリート杭本体を構成する。
なお、鉄筋篭内にはリング状補強筋７を付加することがある。
この構成によれば折返して複数層としてある部分が帯状の補強帯になり、透水ネットを補強してコンクリートを充填しても破損の恐れをなくし、かつスペーサー３の形状を適宜選択することによって鉄筋篭のコンクリートのかぶり厚され、確実に保持できる。
【図面の簡単な説明】
【０００８】
【図１】鉄筋篭の横断面図である。
【図２】要部の竪断面図である。
【図３】要部の横断面図である。
【符号の説明】
【０００９】
１…竪筋
２…フープ筋
３…スペーサー
４…ネット取付リング
５…透水ネット
６…番線
７…補強筋
【図１】
2007002550.tif 000003
【図２】
2007002550.tif 000004
【図３】
2007002550.tif 000005
(57)【要約】【課題】鉄筋を組む時やコンクリート打設時に、コンクリートのかぶり厚を確保するのは建物の品質保持の為に非常に重要であるが、鉄筋が動かなくするのに今までは、さん木や垂木などを釘を打ちつけたり、番線で締め付けて一時的に固定するのため部品点数も多く、作業するのに労力、時間もかかっていたが、それを能率よく簡単に作業する事を可能にする。【解決手段】鉄筋と型枠を、鉄筋支持具（発明品）を使ってバネの力やボルトの力で動かなく繋ぐことで、鉄筋がグラグラ動くのを防ぎ、コンクリートの被り厚を確保し、作業労力もかからない。又鉄筋支持具（発明品）は作業労力がかからないので数多く使えば鉄筋を硬く固定でき、型枠と鉄筋の間に入れる生コンの流れを阻害するスペーサーの数を減らせ、不良なジャンカ部分を造る可能性を減らせるので、建物の品質保持が出来る。【選択図】図１
2007002542.tif 000002
【特許請求の範囲】
【請求項１】
コンクリートに埋設される補強用の鉄筋と型枠を、一時的に繋ぎ鉄筋を動かないようにする事を特徴とする、定寸法鉄筋固定ロッド又は可変寸法鉄筋固定ロッドの鉄筋支持具（金属製又はプラスチック製の物）。
【請求項２】
鉄筋と鉄筋支持具とを、鉄筋支持具の弾力性、又はネジを利用して固定する事を特徴とする鉄筋支持具
【請求項３】
型枠と鉄筋支持具とを、鉄筋支持具の弾力性、又はネジを利用して固定する事を特徴とする鉄筋支持具
【発明の詳細な説明】
【技術分野】
【０００１】
本発明は、鉄筋が倒れて位置が狂わないように、簡単に固定できるものである。
【背景技術】
【０００２】
現在は鉄筋が倒れないように、型枠と鉄筋にさん木や垂木（他にセパレータや鉄筋）を渡し番線で一時的に固定したり、型枠と鉄筋の間にコンクリートブロックやプラスチックのスペーサを入れて鉄筋が型枠等に倒れ掛からないようにしてる。倒れないようにするのには苦労しててセパレータを変形させて使い縦鉄筋と結び付ける特許公開提案もなされてる。しかしこのやり方では型枠にセパレータ用の穴を開ける必要があり作業の労力、時間にも負担をかける。
【特許文献１】特許公開２００４−２５７２１２
【０００３】
長い距離に数多くの鉄筋を倒れないように固定するのは、人手や時間を必要とするという欠点があった。
【発明の開示】
【発明が解決しようとする課題】
【０００４】
解決しようとする問題点は、さん木等や釘、ハンマー、番線、番線を締めるシノ等かさばる物を持って移動するのは、仕事がやりにくく又時間がかかる。
【課題を解決するための手段】
【０００５】
本発明は、鉄筋固定ロッド自身の弾力性やネジの力を利用し、簡単に鉄筋を固定すること。
【発明の効果】
【０００６】
本発明の鉄筋固定ロッドの効果は、道具も少なく、時間もかからず、簡単に鉄筋を倒れないように固定することが出来る。
【発明を実施するための最良の形態】
【０００７】
最初に縦鉄筋を本発明の支持具で固定して、その後に横鉄筋を渡して結束しコンクリートを打設する。
【実施例１】
【０００８】
図１は、本発明品の１実施例で建築物のコンクリートスラブ打設の時、縦鉄筋を型枠に鉄筋支持具（可変寸法鉄筋固定ロッド）で連結し倒れないように固定した図である。
【実施例２】
【０００９】
図２は、本発明品の１実施例で小規模な、長方形のコンクリート基礎打設の時、縦鉄筋を型枠に鉄筋支持具（定寸法鉄筋固定ロッド）で連結し倒れないように固定した図である。
【００１０】
図３は、鉄筋支持具（可変寸法鉄筋固定ロッド）の上面図、正面図、及び寸法調節ロッドをはずした物を、斜め上から見た略図である。
【図面の簡単な説明】
【００１１】
【図１】鉄筋支持具（可変寸法鉄筋固定ロッド）の鉄筋組み実施例を示した説明図で、縦鉄筋と型枠を発明品で繋ぎ縦鉄筋が倒れないようにしてある。（実施例１）
【図２】鉄筋支持具（定寸法鉄筋固定ロッド）の生コン打設実施例を示した説明図で、縦鉄筋と型枠を発明品で繋ぎ縦鉄筋が倒れないようにしてある。（実施例２）
【図３】鉄筋支持具（可変寸法鉄筋固定ロッド）の詳細図である。
【符号の説明】
【００１２】
１    鉄筋支持具（定寸法の鉄筋固定ロッド）
２    鉄筋支持具（可変寸法鉄筋固定ロッド）
３    縦鉄筋
【図１】
2007002542.tif 000003
【図２】
2007002542.tif 000004
【図３】
2007002542.tif 000005
(57)【要約】【課題】  集魚効果、魚巣の形成、川水や海水の浄化、磯焼け防止、藻礁の形成、護岸の緑化等の効果を兼ね備えた極めて有用な焼酎廃液ブロックを用いた水中及び護岸設備を提供することを技術的課題とする。【解決手段】  焼酎廃液を固化剤により固形化したものであって、繊維質を多く含む多孔質体からなる固形化材料からなるブロックを、各ブロック間に間隙を設けるごとく金網内に内詰、若しくは通常の詰め石と混合して内詰めするように構成した。【選択図】  図２
2007002637.tif 000002
【特許請求の範囲】
【請求項１】
焼酎廃液を固化剤により固形化したものであって、繊維質を多く含む多孔質体からなる固形化材料からなるブロックを、各ブロック間に間隙を設けるごとく金網内に内詰又は通常の詰石と混合して内詰めするようにした焼酎廃液ブロックを用いた水中及び護岸設備。
【発明の詳細な説明】
【発明の詳細な説明】
【技術分野】
【０００１】  本発明は河川敷、海岸等に設置するかごマット、蛇かご、ふとんかご、だるまかご、漁礁等に使用される水中及び護岸設備に関するものである。
【背景技術】
【０００２】  例えば、特願平１１−１０３６５９号公報には、ふとんかご又はかごマットの中に詰められた詰石層の上又は内に、水辺植物が植生された植生マットを敷設した護岸水辺の緑化工法が記載されている。【０００３】  しかしながら、この発明においては、前記植生マットは天然繊維、化学繊維、合成繊維で、かごマットの上部又は内部に敷きつめるため、詰石層の間隙を塞ぎ、また、砂等が植生マット上に堆積して魚巣の形成や集魚等の効果を充分に期待することは出来ない。【０００４】  また、特願２０００−５４３９２号公報には、網製かご体内に複数個投入する詰石の間隙に、塊状に形成した植物繊維からなる間詰材を充填した間詰材およびかごマットならびにかごマットを用いた緑化工法が記載されている。【０００５】  しかしながら、この発明においては、間詰材が巻回状の繊維質であるため、柔軟性があり詰石の間隙を封鎖してしまい、また砂等が堆積して魚巣の形成が充分に期待することが出来ない。
【発明が解決しようとする課題】
【０００６】  本発明は、集魚効果、魚巣の形成、川水や海水の浄化、磯焼け防止、藻礁の形成、護岸の緑化等の効果を兼ね備えた極めて有用な焼酎廃液ブロックを用いた水中及び護岸設備を提供することを課題とする。
【課題を解決する手段】
【０００７】  請求項１の発明は、焼酎廃液を固化剤により固形化したものであって、繊維質を多く含む多孔質体からなる固形化材料からなるブロックを、各ブロック間に間隙を設けるごとく金網内に内詰若しくは通常の詰石と混合して内詰めするようにした焼酎廃液ブロックを用いた水中及び護岸設備を提供するものである。
【０００８】  この発明においては、焼酎廃液成分の効果により、集魚効果、魚巣の形成、川水や海水の浄化、磯焼け防止、藻礁の形成、護岸の緑化等の効果を兼ね備えた極めて有用な焼酎廃液ブロックを用いた水中及び護岸設備を提供することが出来る。
【発明を実施するための最良の形態】
【０００９】  以下に本発明の一実施形態を図面に基づき説明する。図１に示す如く、Ａ・・・は焼酎廃液を固化剤により固形化したものであって、繊維１・・・質を多く含む多孔２・・・質体からなる固形化材料からなるブロックである。このブロックは特願２００４−２０２４７７に示すように極めて顕著な集魚効果、水浄化作用があることが実証されている。図２に示す如く、かごマットＫには各ブロックＡ・・・間に間隙Ｂ・・・を設けるごとく金網Ｍ内に内詰若しくは通常の詰石Ｃ・・・と混合して内詰めするようにしている。【００１０】  この様に構成されたかごマットＫは、これらの複数個を河川敷や海岸等に適宜併設し、集魚効果、魚巣の形成、川水や海水の浄化、磯焼け防止、藻礁の形成等の作用を有する極めて有用なかごマットとして提供される。【００１１】  尚、本実施例においては、かごマットとしているが、図３に示すように海岸や河川の底床Ｘに直接ブロックＡ・・・若しくはこれらと通常の詰石Ｃ・・・とを混合して敷き詰め、その上部に金網Ｍをかぶせて杭Ｓにて固定するものも含む。図中Ｗは水面である。
【発明の効果】
【００１２】  上記の如く本発明においては、焼酎廃液成分の効果により、集魚効果、魚巣の形成、川水や海水の浄化、磯焼け防止、藻礁の形成等の作用を有する極めて有用な焼酎廃液ブロックを用いた水中及び護岸設備を提供することができ、前記各複数のブロック間の間隙に魚巣を効果的に形成することが出来る。また、本発明においては、かごマットのみならず蛇かご、ふとんかご、だるまかご、漁礁等にも使用できることは勿論である。
【図面の簡単な説明】
【００１３】
【図１】繊維質を多く含む多孔質体からなる固形化材料からなるブロックを示す図
【図２】かごマット内にブロックと一般の詰石を混合して詰めた状態を示す上部を開放した斜視図
【図３】河川又は海岸の底床に適用した例を示す図
【符号の説明】
１・・・    繊維
２・・・    多孔
Ａ・・・    ブロック
Ｂ・・・    間隙
Ｃ・・・    一般の詰石
Ｋ          かごマット
Ｍ          金網
Ｓ          杭
Ｗ          水面
Ｘ          底床
【図１】
2007002637.tif 000003
【図２】
2007002637.tif 000004
【図３】
2007002637.tif 000005
(57)【要約】      （修正有）【課題】畳表を折り曲げる作業の労力と時間を短縮でき、また経験や技術のない素人でも正確に作業できる道具を提供する。【解決手段】側面に力を加えることで、刃先方向に力の加わる状態に設置した刃物２の刃先と、刃先に平行な面３で畳表を挟み、その続きの部分を刃物２の側面に巻き込み、畳表１を刃物２の側面とバー状の物４で挟み、バー４を刃物２の側面方向に押し畳表１を折り曲げる。順序良く、畳表１に力を加える事で、折り曲げる事ができる。【選択図】図１
2007002638.tif 000002
【特許請求の範囲】
【請求項１】
側面より力を加える事で、刃先方向に力の加わる状態に設置した刃物の刃先と、刃先に平行な面とで畳表を挟み、その続きの部分を刃物の側面に巻き込み、畳表を刃物の側面とバー状の物で挟み、バーを刃物の側面方向に押し畳表を折り曲げる方法である。
【発明の詳細な説明】
【技術分野】
【０００１】畳には縁無し畳があり、その製作工程の中で畳表を折り曲げる作業がある。技術的にも労力的にも大変な仕事であり、これを解決するための技術である。
【背景技術】
【０００２】畳の歴史は古く８００年以上と言われている。畳には縁付畳と縁無し畳があり、特に縁無し畳製作工程の中で畳表を折るという作業がある。畳表を水で濡らし折り曲げやすくし、包丁を使い手作業で丹念に折り曲げ、畳床にかぶせ縫う仕事であった。【０００３】
【特許文献】
【発明の開示】
【発明が解決しようとする課題】
【０００４】畳表を折り曲げる作業の労力と時間を短縮する事と、経験、技術のない人にでも確実に作業が出来るようにする事が課題である。
【課題を解決するための手段】
【０００５】折り曲げる所に集中した力を順序良く加える事により、正確な折り曲げができる。
【発明の効果】
【０００６】  従来の手作業による折り曲げに比べ、労力、スピード共に優れているだけでなく、経験のない人にでも正確にきれいに畳表を折り曲げる事ができる。
【実施例１】
【０００７】  図２を参考に実施例を説明する。
（イ）『刃物２』と『刃先に平行な面３』の間に『畳表１』をのせる。
（ロ）『刃先に平行な面３』の上で『刃物２』を『支点６』を中心に回転させ『畳表１』の曲げる部分を、刃先と『刃先に平行な面３』で挟む。
（ハ）『刃物２』を『畳表１』方向に力を加え、刃先の部分から畳表を折り曲げるため、『支点７』を支点に『バー状の物４』を上げ、『刃物２』の側面に畳表を巻き込む。
（ニ）『刃物２』の側面に巻き込まれた『畳表１』を刃の側面と『バー状の物４』で挟み、刃物の側面方向に押し、畳表を折り曲げる。この時バーの力が『刃物２』に伝わり、刃先が『畳表１』を強く押し付ける事により、折り曲げやすくなり、きれいに折り曲げることができる。
【図面の簡単な説明】
【０００８】
【図１】本発明の畳表折り曲げの為の主要な部分を一部断面図にし、側面から見た配置図である。
【図２】本発明の折り曲げ方法の工程の中、四つのポイントを示す図である。
【符号の説明】
【０００９】  １  畳表
２  刃物
３  刃先に平行な面
４  バー状の物
５  刃物取り付け台
６  支点（刃物の動きの為の支点）
７  支点（バー状の物の動きの為の支点〈スライド式〉）
８  テーブル
９  本体の足
【図１】
2007002638.tif 000003
【図２】
2007002638.tif 000004
(57)【要約】      （修正有）【課題】従来の砂壁材料や線香立て用砂は砂材へ着色合成樹脂塗料を吹付け乾燥したものであり強度、付着力、耐候性、耐熱性に対して劣り、長期使用に耐えられない。特に屋外で使用する場合は紫外線や酸雨の酸により劣化が激しく数年で色落ちやはがれが発生する。これらの課題を解決する砂壁材料や線香立て用砂を提供する。【解決手段】アルミナ粉末と珪酸ソーダーを混合したスラッジ状の液体を粒径０．２ｍｍ〜１．２ｍｍの硅砂へ付着させたものをロータリーキルン炉等の加熱炉で材料を回転させながら９５０℃〜１１００℃で焼結させる。又はアルミナ粉末と粒径０．２ｍｍ〜１．２ｍｍの硅砂をロータリーキルン炉等の加熱炉で材料を回転させながら１２００℃〜１３００℃で加熱し、硅砂の表面へアルミナ粉末を付着させながら焼結させる。【選択図】図１
2007002649.tif 000002
【特許請求の範囲】
【請求項１】
粒径０．２ｍｍ〜１．２ｍｍの硅砂と粒径１０ｕｍ〜２０ｕｍのアルミナ粉末と珪酸ソーダーを混合機で混合し、珪砂へアルミナ粉末を付着させたものを９５０℃〜１１００℃で焼結させることを特徴とする砂壁材料。
【請求項２】
粒径０．２ｍｍ〜１．２ｍｍの硅砂と粒径１０ｕｍ〜２０ｕｍのアルミナ粉末と珪酸ソーダーを混合機で混合し、珪砂へアルミナ粉末を付着させたものを９５０℃〜１１００℃で焼結させることを特徴とする線香立て用砂。
【請求項３】
粒径０．２ｍｍ〜１．２ｍｍの硅砂と粒径１０ｕｍ〜２０ｕｍのアルミナ粉末を加熱炉内で１２００℃〜１３００℃に加熱し、硅砂へアルミナ粉末を付着させながら焼結させることを特徴とする砂壁材料。
【請求項４】
粒径０．２ｍｍ〜１．２ｍｍの硅砂と粒径１０ｕｍ〜２０ｕｍのアルミナ粉末を加熱炉内で１２００℃〜１３００℃に加熱し、硅砂へアルミナ粉末を付着させながら焼結させることを特徴とする線香立て用砂。
【発明の詳細な説明】
【技術分野】
【０００１】
本考案は、硅砂へアルミナを付着させ焼結させた砂壁材料及び線香立て用砂に関する。
【背景技術】
【０００２】
従来の砂壁材料や線香立て用砂は砂材へ着色合成樹脂塗料を吹付け、乾燥したものが使  用されている。
【特許文献１】実用新案登録番号  第３０５１５４７号
【特許文献２】特願  昭５８-４６７８５
【発明の開示】
【発明が解決しようとする課題】
【０００３】
従来の砂壁材料や線香立て用砂は砂材へ着色合成樹脂塗料を吹付け乾燥したものであり
強度、付着力、耐候性、耐熱性に対して劣り、長期使用に耐えられない。特に屋外で使用する場合は紫外線や酸雨の酸により劣化が激しく数年で色落ちやはがれが発生する  
【課題を解決するための手段】
【０００４】
アルミナ粉末と珪酸ソーダーを混合したスラッジ状の液体を粒径０．２ｍｍ〜１．２ｍ
ｍの硅砂へ付着させたものをロータリーキルン炉等の加熱炉で材料を回転させながら９
５０℃〜１１００℃で焼結させる。又はアルミナ粉末と粒径０．２ｍｍ〜１．２ｍｍの
硅砂をロータリーキルン炉等の加熱炉で材料を回転させながら１２００℃〜１３００℃
で加熱し、硅砂の表面へアルミナ粉末を付着させながら焼結させる。
【発明の効果】
【０００５】
高温度で焼結させた砂壁材料や線香立て用砂は強度、付着力、耐候性、耐熱性に優れ、
屋外、屋内にかかわらず長期間使用に耐えられる材料となる。またアルミナによる白色
度が高く、また白く綺麗（きれい）な砂となり、そのまま使用しても良いが顔料で着色
けする場合でもベースが白色の為、所望の色付けが可能である。特に建築用外壁や住宅
のブロック壁に使用される場合は、近年周辺の景観にマッチングした色が求められ微妙  な色相の要求が多い。そこで本発明の砂であれば生地色がアルミナの白色である為、微  妙の色相も簡単に着色が可能である。
【発明を実施するための最良の形態】
【０００６】
製造方法は図―１に示すＡ工程とＢ工程の方法で製造される。まずＡ工程の場合は粒径
０．２ｍｍ〜１．２ｍｍの硅砂６５〜８５ｗｔ％と粒径１０ｕｍ〜２０ｕｍ粒径のアミ
ナ粉末を５〜１５ｗｔ％とバインダーとして珪酸ソ−ダ−を水で３倍希釈した液体１０〜２０ｗｔ％を混合機に入れ混合する。次にこの材料を混合機で回転させながらバーナーを使用して２00℃〜300℃で加熱し珪砂へアルミナ粉末を付着させる。次に硅砂へアルミナを付着させた砂をロータリーキルン炉にて９５０℃〜１１００℃で加熱し焼結させ砂壁材料や線香立て用砂として使用する。Ｂ工程の場合は、粒径０．２ｍｍ〜１．２ｍｍの硅砂８０〜９０ｗｔ％と粒径１０ｕｍ〜２０ｕｍのアルミナ粉末１０〜２０ｗｔ％をロータリーキルン炉等の加熱炉へ入れ、砂どうしの付着を防止するため回転させながら砂を加熱すると８００℃〜１０００℃付近で硅砂の表面が半溶融状態となりアルミナ粉末が硅砂表面へ付着されながらさらに１２００℃〜１３００℃に加熱すると焼結され、この砂を砂壁材料や線香立て用砂として使用する。また高純度アルミナを製造する場合にアルミナの純度を向上させる為に１２００℃のアルミナ精選炉中に硅砂を入れアルミナの不純物を吸着させている。この砂は使用後産業廃棄物として処理されているが硅砂にアルミナがコーテングされ焼結された状態のものなので、さらに粒度調整と異物を除去すれば砂壁材料や線香立て用砂としてリサイクルが可能である。図-２は硅砂にアルミナがコーテングされ焼結された砂の断面を表した図である。
【産業上の利用可能性】
【０００７】
建築物の砂壁材料や住宅の外構ブロック壁用吹付け砂や線香立て用砂として利用出来る  。
【図面の簡単な説明】
【０００８】
【図１】本発明の製造工程を示す。
【図２】砂の断面図を示す。
【符号の説明】
【０００９】
１    硅砂
２    アルミナ
【図１】
2007002649.tif 000003
【図２】
2007002649.tif 000004
(57)【要約】【課題】  自動車用集中ドアロックの解錠時の防犯、安全上の不都合点の改善【解決手段】  自動車用集中ドアロック装置の一斉施錠と一斉解錠に加え、特定ドアの解錠を制限する機能を付加する。【選択図】  図１
2007002648.tif 000002
【特許請求の範囲】
【請求項１】
自動車用特定ドア解錠制限装置の供給
【発明の詳細な説明】
【技術分野】
【０００１】  本発明は自動車用集中ドアロック装置に係り、自動車の各ドアロック室内操作部付近のドアロックモーター制御回路にＯＮ，ＯＦＦ操作型スイッチを配置しドアの一斉解錠機構を制限する装置に関する。
【背景技術】
【０００２】  一般に、自動車のドアロックは運転席ドアキーによる、またはリモコン操作で集中的に一斉施錠、解錠ができるものとなった。
【発明の開示】
【発明が解決しようとする課題】
【０００３】  自動車用集中ドアロック機構は利便性が高く多くの自動車で採用されているが、解錠の際の使用形態により解錠の不要なドアもあり安全上の問題点を有しているドアを一斉解錠し乗車する際、解錠の不必要なドアも解錠するため、悪意を持った者が、運転者からの死角となる助手席側ドアの陰に隠れ、ドアの解錠時に乗り込み金品を脅し取ったり、発車を強要される危険があり、安全上の問題点がある。本発明はこのような技術的背景より考案されたもので、その目的は自動車の各ドアまたは一箇所にスイッチを配置し、解錠の不必要なドアのドアロックの作動を制限し、安全性を高めた解錠装置を提供することにある。
【課題を解決するための手段】
【０００４】  上記問題点となりうる危険要因を減じるために、本発明では各ドアロックモーター制御回路にスイッチを配置し一斉施錠の便利さはそのまま特定ドアの解錠を制限し、使用者の使用形態で、解錠できるドアを任意設定できることを、特徴とする装置である。
【発明の効果】
【０００５】  近年の犯罪増加で暗がりでの解錠乗車の時や、ひとり乗車の際、悪意を持った賊の乗り込みのスキを与えず運転者が乗り込めるので、同乗者を装う賊による犯罪を減少させ、ドライバーの不安を減少させる効果が考えられる。
【発明を実施するための最良の形態】
【０００６】  女性ドライバーの増加で自動車用集中ドアロック機構の一斉施錠は便利であるが、使用者の使用形態によっては一斉解錠は必要ない場合も多く、車外に潜む賊の存在を懸念する心理的負担も大きいので、女性や一人乗車のドライバーが解錠乗車する自動車への採用は大きな効果を期待できる。
【実施例】
【０００７】  自動車用集中ドアロック機構で、一斉施錠し、キーによる解錠時やリモコン操作での解錠時、運転席や特定のドア以外は解錠しないように降車時または日常使用時に簡単なスイッチ操作で設定しておくことで防犯上の安全性が高まる。
【図面の簡単な説明】
【０００８】
【図１】  自動車用ドアロックの個別ドア解錠制限をする装置の配線を示す図である。
【図２】  スイッチをドアに装着したときの例を表す図である。
【図１】
2007002648.tif 000003
【図２】
2007002648.tif 000004
(57)【要約】【課題】  本発明は、排水口の部品の底部から蓋をすることにより、排水管を伝わって来る悪臭や虫の進入を防ぐことを目的としたものである。【手段】  排水口の部品に（１）の取り付け部を装置し、蓋（２）が水の使用時には水圧により開き、水が使用されない時には軸自体に掛かる重量により閉じる蓋。【選択図】  図１
2007002645.tif 000002
【特許請求の範囲】
【請求項１】
排水口の部品に開閉が容易な蓋（２）を下部から取り付けた防臭・防虫蓋
【請求項２】
取り付け部分が（１）のような中央部分にすき間を造った形態である取り付け部分
【発明の詳細な説明】
【発明の詳細な説明】
【技術分野】
【０００１】  この発明は排水口の部品に取り付けることにより、風呂場等の室内の悪臭や虫の進入を防ぐことを目的としたものである。
【背景技術】
【０００２】  従来においては、排水口の通水性を保つために蓋を取り付けることなどはなされていなかったので、悪臭や虫が排水管を伝わり室内環境を不快にした。
【発明が解決しようとする課題】
【０００３】  水の使用時以外は蓋が閉じて排水管を伝わって来る悪臭や虫を防止するが、水の使用時においては、蓋が開いて排水作用に問題を生じさせない。
【課題を解決する手段】
【０００４】  排水口の部品に軸が容易に作動しやすくした取り付け部（１）を付け、蓋（２）が、軸部の重量部分に掛かる重さにより水の使用時以外は閉じるようにした蓋。
【発明を実施するための最良の形態】
【０００５】    以下、本発明の実施の形態を説明する。
（イ）排水口の部品に装置する取り付け部（１）は、中央部分にすき間を造り蓋（２）の開閉に支障を起こさせないようにする。
（ロ）図１に示したように、排水時においては使用水の水圧により蓋（２）が開く，この時の軸部の重量部分（３）の重量は、使用時の水圧がない限り蓋が閉まる程度のものとする。
（ハ）図５に示したように蓋（２）は、１枚であっても軸止（４）を設けての形態でも良い。
【発明の効果】
【０００６】  本発明を使用することにより、風呂場等の悪臭や虫の進入を防ぐことができ、寒冷地における冬場の保温性を増すことが可能となる。
【図面の簡単な説明】
【図１】本発明の蓋が開いている時の斜視図
【図２】本発明の蓋が開いている時の正面図
【図３】本発明の蓋が閉じている時の正面図
【図４】本発明の蓋が閉じている時の底面図
【図５】本発明の蓋が閉じている時の蓋を１枚にした時と軸止の場合の底面図
【符号の説明】
（１）取り付け部      （２）蓋      （３）軸部の重量部分
（４）軸止
【図１】
2007002645.tif 000003
【図２】
2007002645.tif 000004
【図３】
2007002645.tif 000005
【図４】
2007002645.tif 000006
【図５】
2007002645.tif 000007
(57)【要約】【課題】材木でのスジカイは．スジカイ金物をビスだけの固定で．地震に耐える力が少ない．【解決手段】円型耐震スジカイを取り付けることで．基礎．柱．梁を結ぶことが出来る．Ｌ型金物はボルト．ビスの両方で固定するので．家の倒壊．柱の引き抜きにも強い。【特許請求の範囲】
【請求項１】
Ｌ型金物に取り付ける半径２００ｍｍの円型金物。角度（４７度から７８度）巾１８ｍｍで開く長方形の穴。．スジカイ先端ボルト２２０ｍｍの設置。
【請求項２】
前記スジカイは、角度を三角形に．スジカイ．１本の長さで．高さを１５０ｍｍ移動できる特徴を活かす。
請求項目１記載のスジカイ
【発明の詳細な説明】
【技術分野】
【０００１】  この発明は、木のスジカイの形状に関する。
【背景技術】
【０００２】  従来のスジカイは木材で設置しているが、材木の反り、曲がりが発生して、壁が膨らんで、仕上げの施工に時間を要した。上棟の時、仮スジカイを付けるが、本スジカイを入れた後の取り外しが大変。円型耐震スジカイでは、セットすれば、そのまま本スジカイとして、壁の中に収めるスジカイである．建ておこしも、ボルトの部分で簡単に調節でき、時間短縮が出来る。
【発明の開示】
【発明が解決しようとする課題】
【０００３】スジカイに用いる鉄板の厚さ、形状、スジカイのパイプの太さ、肉厚選び。ボルトの太さ材質．      耐久の実験。
【課題を解決するための手段】
【０００４】専門分野に委託して．形状．材質を決定する。
【発明の効果】
【０００４】  木製スジカイに対して、引き抜き、圧縮にも強く、壁の膨らみも解決、既存住宅にも簡単に取り付け出来、耐震に対して効果有り。家の倒壊を防ぐ。
【発明を実行するための最良の形態】
【０００５】  この発明の実行形態を、図１．２．３に示す。
Ｌ型金物により基礎と、土台、柱を、ボルト、ビスにより固定し、柱の引き抜きを防ぐ。
１Ｆと２Ｆを、Ｌ型金物によりボルト、ビスにて固定出来る。Ｌ型金物に取り付ける、半径２００ｍｍの円型金物によりスジカイの長さを一定の長さに定めることができる．また長方形のボルト穴（４７度から７８度）によりスジカイの角度を三角形に定めることが出来る。スジカイは丸型パイプを仕様する事で．曲がり、ひねりを少なく保つことが出来る。
スジカイの先端ボルトの長さ２２０ｍｍと、半径２００ｍｍ円型金物により、土台と梁の高架、高さを、１５０ｍｍまで調節が出来る。
スジカイの先端に取り付けるボルトは直径１６ｍｍで．長さ２２０ｍｍを取り付ける。
ナットは６角ナットをＷ絞めとする．ザ金はバネ付とする。仕上げは亜鉛メッキ仕上げとする．
【図面の簡単な説明】
【図１】Ｌ型金物と半径２００ｍｍの円型金物  （１）Ｌ型金物．長さ３６０ｍｍ巾６０ｍｍ厚さ４．５ｍｍの鋼鉄  （２）半径２００ｍｍの円型金物  （３）角．補強材４４ｍｍ  ｘ  ４４ｍｍのＬ型鋼鉄．  （４）ボルト穴．直径１６．５ｍｍで４ヵ所  （５）ビス穴直径８ｍｍで８ヵ所  （６）ビス直径７ｍｍ長さ５０ｍｍ  （７）ボルト直径１４．５ｍｍ長さ１５０ｍｍ  （８）ナット滑り止め溝１ｍｍの深さで表．裏に付ける．スジカイ．ナットの滑り止め．  （９）スジカイボルトの穴（４７度〜７８度）にてスジカイの角度を三角形に設定できる  （１０）結合は溶接仕上げ
【図２】丸型パイプ．スジカイ  （１）丸型パイプ．スジカイ断面図  （２）丸型パイプスジカイの長さ（柱の巾．９１０．１０００．１８２０．２０００ｍｍ）柱巾の広さにより４本の長さの違うスジカイを作成する．柱巾と梁の高さが規定外の設定では特注にてスジカイを作成する
【図３】円型金物設置図  （１）直径１６ｍｍ長さ２２０ｍｍ全ネジボルト  （２）６角ナット連結２個締め  （３）ザ金．バネ付  （４）円型金物  （５）接続は溶接仕上げ
【図４】取り付け明細図  （１）木造断面明細図により設置工法を説明
【図１】
2007002646.tif 000002
【図２】
2007002646.tif 000003
【図３】
2007002646.tif 000004
【図４】
2007002646.tif 000005
(57)【要約】【課題】陰部と内股の接触を完全に抑え、また、睾丸と陰茎との間の接触を抑え、発汗作用を促し、冷却効果を増大させ、不快感を生じさせない男性用パンツを提供する。【解決手段】男性用パンツにおいて、男性用パンツの小便用のスリットから、睾丸および陰茎を出した状態で、睾丸および陰茎の少なくともいずれか一方を保持する保持体を有する。保持体は睾丸と陰茎を仕切り、また睾丸と陰茎を覆うものである。【選択図】  図１
2007002346.tif 000002
【特許請求の範囲】
【請求項１】
男性用パンツにおいて、男性用パンツの小便用のスリットから、睾丸および陰茎を出した状態で、睾丸および陰茎の少なくともいずれか一方を保持する保持体を有することを特徴とする男性用パンツ。
【請求項２】
請求項1記載の男性用パンツにおいて、睾丸と陰茎を仕切る保持体を設けていることを特徴とする男性用パンツ。
【請求項３】
請求項1記載の男性用パンツにおいて、睾丸と陰茎を覆う保持体を設けていることを特徴とする男性用パンツ。
【発明の詳細な説明】
【技術分野】
【０００１】
本発明は、男性用パンツに関する。
【背景技術】
【０００２】
陰部（睾丸および陰茎）と内股の接触によるべたつきを抑え、発汗作用を促すパンツの構造が特開２０００−９６３０１号公報に記載されている。この公報の発明では、陰部等に接触するパンツの部分に厚みのあるパットを設けるものである。
【特許文献１】特開２０００−９６３０１号公報
【発明の開示】
【発明が解決しようとする課題】
【０００３】
前記公報の発明では、陰部等に接触するパンツの部分に厚みのあるパットを設けているが、陰部と内股の接触を完全に抑えることはできなかった。
【０００４】
したがって、本発明の目的は、陰部と内股の接触を完全に抑え、また、睾丸と陰茎との間の接触を抑え、発汗作用を促し、冷却効果を増大させ、不快感を生じさせない男性用パンツを提供することにある。
【課題を解決するための手段】
【０００５】
上記目的を達成するために、本発明は、男性用パンツにおいて、男性用パンツの小便用のスリットから、睾丸および陰茎を出した状態で、睾丸および陰茎の少なくともいずれか一方を保持する保持体を有することを特徴とするものである。
【発明の効果】
【０００６】
本発明によれば、陰部と内股の接触を完全に抑え、また、睾丸と陰茎との間の接触を抑え、発汗作用を促し、冷却効果を増大させ、不快感を生じさせない男性用パンツが得られる。
【発明を実施するための最良の形態】
【０００７】
以下に図面を参照して、本発明の実施形態を説明する。図１は、本発明の男性用パンツを説明するための図であり、図１ａはその正面図であり、図１ｂは、男性用パンツとともに用いられ、睾丸と陰茎を仕切るための保持体を示す図であり、図１ｃは、男性用パンツとともに用いられ、睾丸と陰茎を覆う保持体を示す図である。図２は、本発明の男性用パンツの使用法を説明するための図である。
【０００８】
図１において、男性用パンツとして、トランクス１０が示されている。男性用パンツには、その他ブリーフ形式のものもあるが、トランクスが本発明を適用するのに特に適しているので、トランクスを例に挙げて説明するが、その他の種類の男性用パンツに対しても本発明は適用できるものである。
【０００９】
最初に図１ａを参照すると、トランクス１０には、小便用のスリット１２が形成されている。スリット１２が形成されていないものでは、スリット１２を形成することになる。なお、スリットに代えて、陰茎および睾丸がトランクスから出すことができる例えば円形の穴を設けてもよい。トランクス１０の左右のほぼ中央には、マジックテープ１４が設けられており、またトランクス１０の上下の左右には、マジックテープ１６が設けられている。これらのマジックテープの形状、数、位置等は任意のものである。
【００１０】
次に、図１ｂを参照すると、睾丸と陰茎を仕切るための保持体２０が示されている。この保持体の材質は、布製であるのが好もしいが、発汗作用を増大させるようなものや、汗を吸収するようなその他の材質のものでもよい。また、メッシュ状のものでもよい。この保持体２０には、左右にマジックテープ２２が設けられている。保持体２０は、このマジックテープで、トランクス１０のマジックテープ１４に着脱可能に取付けられる。
【００１１】
次に、図１ｃを参照すると、睾丸と陰茎を覆うための保持体３０が示されている。この保持体の材質は、布製であるのが好もしいが、発汗作用を増大させるようなメッシュ状の布や、汗を吸収するようなその他の材質のものでもよい。この保持体３０には、上下の左右にマジックテープ３２が設けられている。保持体３０は、このマジックテープで、トランクス１０のマジックテープ１６に着脱可能に取付けられる。
【００１２】
次に、図２を参照すると、図２ａには、陰茎Ａと睾丸Ｂをトランクス１０からそのスリットを通して出している状態が示されている。この状態では、睾丸と陰茎はトランクス１０の存在により、内股に接触しない。この状態で、図２ｂに示すように、睾丸と陰茎を仕切るように保持体２０をトランクス１０に取付ける。次に、図２ｃに示すように、保持体３０を睾丸と陰茎を覆うように取付ける。
【００１３】
前述の説明では、マジックテープで取付けるものとしているが、保持体２０のいずれか一方のマジックテープに代えて、予めトランクスに縫製により縫い付けおき、１つのマジックテープにより陰茎と睾丸を仕切るように取付けてもよい。保持体３０の上下いずれか一方のマジックテープに代えて、予めトランクスに縫製により縫い付けおき、他方のマジックテープにより陰茎と睾丸を覆うように取付けてもよい。
【００１４】
前述では、２つの保持体を使用するものと説明したが、いずれか一方だけを使用してもよい。
【図面の簡単な説明】
【００１５】
【図１】本発明の男性用パンツを説明するための図であり、図１ａはその正面図であり、図１ｂは、男性用パンツとともに用いられ、睾丸と陰茎を仕切るための保持体を示す図であり、図１ｃは、男性用パンツとともに用いられ、睾丸と陰茎を覆う保持体を示す図である。
【図２】本発明の男性用パンツの使用法を説明するための図である。
【符号の説明】
【００１６】
１０  男性用パンツ
１２  小便用のスリット
１４、１６、２２、３２  マジックテープ
２０、３０  保持体
【図１】
2007002346.tif 000003
【図２】
2007002346.tif 000004
(57)【要約】【課題】本発明は、雨天時における合羽着用作業においていつの間にか合羽内の上着などの袖口に雨水が浸透し不快な思いをしたことがある。その浸透防止のためのものである。【手段】原因は合羽の肩・腕、手へと垂れてきた雨水が手中にたまり、手を上げたことによりその溜まっていた水が逆流して袖口に入り込んだものである。よって雨水が手中に流れ込む前に合羽の腕上で体外へ排出しようとするものである。【選択図】図２
2007002379.tif 000002
【特許請求の範囲】
【請求項１】
合羽の腕をぐるりと１周かたちで、それぞれ３本の導水ひもというのを設ける。合羽の肩・腕へと垂れてきた雨水を受け止めると同時に、その雨水を合羽の袖下にある排水ひもというところまで導くように施されている。排水ひもでは、導水ひもを伝ってきた雨水をここで合羽から放出する。そしてそれらは両腕に施される。
【請求項２】
３本の導水ひものうち１本は袖口付近で、袖とほぼ平行に施され、残り２本は腕を斜めにとりまくように施されている。
【請求項３】
排水ひもの素材には弾力性のあるものを使う。
【発明の詳細な説明】
【技術分野】
【０００１】  本発明は、雨天時において合羽の肩・腕から手へと垂れてくる雨水を手へ流れ込む前に合羽中で体外へ放出しようとするものです。
【背景技術】
【０００２】  合羽着用での雨天作業では、いつの間にか上着の袖口、さらにその下着衣まで雨水が浸透し不快な思いがすることがあります。
【発明の開示】
【発明が解決しようとする課題】
【０００３】  合羽着用での雨天時の作業における袖口への雨水浸透の最大の原因は合羽の肩・腕から手へ垂れてきた雨水が手を上げたとき、手のひらなどに溜まった雨水が逆流して袖口への水の浸透となります。とくに手のひらは普通の状態でも垂れてきた水を受け止めやすい形となっており物の掴み次第ではなおさらです。  本発明は、手へ垂れてくる雨水を合羽上で体外へ排水するものです。
【課題を解決する手段】
【０００４】  雨合羽に肩・腕へと垂れてくる雨水を，合羽の腕上で排水しやすい箇所と手中に溜まりにくい箇所を選んで、そこから排水します。そのためには肩のほうから垂れてきた雨水を受け止めると同時に一定の方向に導く必要から導水ひもというものを施設し、さらにその雨水を合羽外に放出するために排水ひもというものをつけました。
【発明の効果】
【０００５】  本発明により合羽より垂れてくる雨水が手に触れることなく体外に放出されます。
【発明を実施するための最良の形態】
【０００６】    以下本発明の実施形態を説明する。
（イ）防水合羽（１）の腕を取り巻くように、合羽と同じ素材を使った３本の導水ひも（２）というものを施し、それぞれのひも上で、袖下部あたりに排水ひも（３）というものを設ける。導水ひも（２）のうち２本は斜めに平行に施し残り１本は袖口にほぼ平行に設ける。
（ロ）導水ひも（２）を斜めに施したのは、垂れてくる雨水を受け止め、合羽の袖下の排水ひも（３）まで誘水するためであります。また導水ひも（２）を３本配置したのは、多雨の時、肩のほうから垂れてくる水の勢いを抑制し導水ひもに導くための措置である。
（ハ）排水ひも（３）は、合羽を伝ってきた雨水を合羽外・体外へ排出するものであり弾力性のあるものを使う
【図面の簡単な説明】
【０００７】
【図１】本発明の概図
【図２】本発明の袖下拡大図
【図３】本発明の合羽に接合する導水ひもの断面図
【符号の説明】
【０００８】  （１）合羽、（２）導水ひも、（３）排水ひも、（４）導水ひもの断面
【図１】
2007002379.tif 000003
【図２】
2007002379.tif 000004
【図３】
2007002379.tif 000005
(57)【要約】【課題】本発明は、雨天時における作業で合羽、ゴム、ナイロンなどの防水手袋着用作業において、着用しているにかかわらず上着の袖口に水が浸透し不快な想いをしたことがある。そのための解決策を提供する。【手段】雨水による袖口浸透の原因は合羽を伝ってきた水が手袋に垂れ特に手の平に溜まった水が、腕を上げたときに逆流して袖口に浸透しているものである。そこで、腕を上げたとき水が手首より垂れ下がらないように手袋面にひも状の突起（導水ひも）を設け雨水を受け止め、それによって水を手中で排水しやすい箇所まで誘水して排水するというものである。【選択図】図２
2007002378.tif 000002
【特許請求の範囲】
【請求項１】
普通のゴム又はナイロン製防水手袋の手の平のくぼみの下方部分を囲むように人差し指・親指付け根の間から手のひらの小指側側面で、手首に近いところを経由して手の甲を経てぐるりと１周する形で導水ひもというものを施し、そのひも上で手のひらの小指側側面で手首に近いところに排水ひもというものをつける。
又親指にもそれを囲むように導水ひもを施し、その側面下部にも排水ひもをつける。
【請求項２】
導水ひもの手袋面の接合状態は、腕から垂れてきた水を下へ垂れやすいようにし、又手を上げたとき手袋の指先側から垂れてきた雨水を手中でくいとめるような形状で手袋面と接合されており、そしてそれが紐に連続しているものである。
【請求項３】
排水ひもの素材については弾力性の良い物を使う。
【請求項４】
導水ひもや排水ひもの設置は左右対称に設ける。
【発明の詳細な説明】
【技術分野】
【０００１】合羽を伝って垂れてきた雨水や手に当たった雨水が手のひらにたまり手を上げた時それが逆流して上着の袖口に入ってくるのを防ぐものである。
【背景技術】
【０００２】従来見うけられる，ゴム手袋の一部には雨水の浸透を意識してかゴム手袋に防水性の腕ぬきが連結したゴム手袋がみうけられる。
【発明の開示】
【発明が解決しようとする課題】
【０００３】  合羽・防水手袋姿の雨天での長時間作業は、腕を上げ下げすることが多いにかかわらず、腕を上げたときの手袋の手のひらに溜まった雨水や手袋にじかに当たった雨水が袖口に入り込んでくるのを余り考慮していなかったように思えます。ただ市販されている手袋の中には手袋と腕抜きが連結した手袋があります。これは袖口内へ吹き込む雨風には有効と思えますが、腕を上げたとき手袋を伝って垂れてくる雨水に対しては腕抜きにあるゴムが絞まっていないと袖口に入って来る可能性があり、だからといってゴムをきつくすると血行に良くないと思います。さらに着脱にあったつては片方をはめた後もう一方をはめるのにゴム手袋をしているため触感がなくわずらわしく感じられます。また少し暖かく感じられる日には汗をかくと思われます。
本発明は、わずらわしさを感じることなく、手中にあるうちに、その溜まった水をいかに体外へ排出するかの解決策である。
【課題を解決するための手段】
【０００４】  人の手のひらは、普通の状態や物を掴んでいる状態では凹み状になっています。主にそこに溜まった雨水が手を上げたときに袖口に入ってきます。そこでそれらの雨水が手をあげたとき手首以下に垂れ下がって袖口に入ってこないように、人差し指・親指の根元から手のひらの凹みを下から包み込むように経由して手のひらの小指側の側面で手首に近いところを経て手の甲までぐるりと一周導水ひもというものを施しました。垂れてきた雨水を受け止めると同時にその雨水を導水ひも上で、手のひらの小指側の側面で手首に近いところに設けてある排水ひもという所まで誘水し、排水するものです。また親指にもそれをとりまくように導水ひもを施し、そのひも上で親指付け根外側に排水ひもをとりつけました。
【発明の効果】
【０００５】  防水手袋上で導水ひもとそれに続く排水ひもを設けることにより袖口への水の浸透を防ぐことができる。
【発明を実施するための最良の形態】
【０００６】  以下、本発明の実施の形態を説明する。
（イ）ゴム・ナイロン等からなる手袋（１）面に導水ひも（２）というものを設け、そのひも上二箇所に排水ひも（３）というものをもうける。
（ロ）導水ひも（２）は、手のひらの凹みの下方部分を囲むように人差し指・親指の根元から手のひらの小指側の側面で手首に近いところを経由して手の甲を経てぐるりと一周する形で設ける。また親指にも、それを囲むように設ける。導水ひも（２）の手袋面接合状態は腕から垂れてきた雨水を下へ垂れやすいようにし、また手を上げたとき手袋の指先側から垂れてきた雨水を手中でくいとめるように手袋面で接合されている。そして導水ひも（２）でくい止められた雨水は導水ひも（２）にそって手のひらの小指側の側面に設けられている排水ひも（３）という所より排水される。また親指の排水ひも（３）は導水ひも（２）上で、親指付け根外側に設けられ、雨水はそこより排水される。
（ハ）導水ひも（２）の素材は手袋と同じで排水ひも（３）は弾力性がある素材を使う。
（ニ）左右の手袋の導水ひも（２）と排水ひも（３）はそれぞれ左右対称にもうける。
本発明は、以上の構成からなる。
【図面の簡単な説明】
【０００７】
【図１】本発明の右手のひら導水ひもと排水ひもの設置図
【図２】本発明の右手のひら導水ひもと排水ひもの設置図
【図３】本発明の右手甲部の導水ひもと排水ひも設置図
【図４】本発明の導水ひもの断面図
【符号の説明】
【０００８】  （１）防水手袋、（２）導水ひも、（３）排水ひも、（４）導水ひもの断面、（５）防水手袋の断面、
【図１】
2007002378.tif 000003
【図２】
2007002378.tif 000004
【図３】
2007002378.tif 000005
【図４】
2007002378.tif 000006
(57)【要約】【課題】日常生活において、ペニスを固定するものはパンツ程度しか無く、パンツでは、ペニスを心地良く固定し収納するには役目として不十分で、ペニスが不安定で横にズレて不快のうえに、外見上もズバンの上からペニスの所在が、よじれて左右いずれか横になっている様が分かり見苦しく、歩行上も不快であった。【解決手段】基盤シートとバンド部シートの間にペニスを通し、ポリエチレン製基盤シートとポリエチレン製バンド部シートに設けられた大きさが不均一の半円球状の突起で挟み込み、固定した上で粘着テープでパンツ等に上下左右の位置を調節して貼り付け固定する。【選択図】図１
2007002381.tif 000002
【特許請求の範囲】
【請求項１】
基盤シートにペニスを固定するバンド部シートを設けた、ことを特徴とするペニス固定シート。
【請求項２】
前記基盤シートは、粘着テープ付きであることを特徴とする請求項１記載のペニス固定シート。
【請求項３】
前記基盤シート及びバンド部シートには、大きさが不均一の半円球状の複数の突起を設けたことを特徴とする請求項１記載のペニス固定シート。
【発明の詳細な説明】
【技術分野】
【０００１】  この発明は、ペニスの固定に用いるシートの形状に関する。
【背景技術】
【０００２】  従来は、日常生活で用いるケースでのペニスを固定化するものがパンツ程度しか無かった。
【発明の開示】
【発明が解決しようとする課題】
【０００３】  しかしながら、以上の技術によれば、ペニスが左右いずれかにズレて不安定であった。
そこで、この発明は、ペニスを快適な位置で衛生的に固定する固定具を提供することを課題とする。
【課題を解決するための手段】
【０００４】  以上の課題を解決するために、第一発明は、基盤シートにペニスを固定するバンド部シートを設けたことを特徴とするペニス固定シートである。
また、第二発明は、基盤シートに粘着テープを設けことを特徴とするペニス固定シートである。
また、第三発明は、基盤シート及びバンド部シートに大きさが不均一の半円球状の複数の突起を設けことを特徴とするペニス固定シートである。
【発明の効果】
【０００５】  第一発明、第二発明、第三発明によれば、基盤シートに粘着テープを設けたので、ペニスの位置の調節がしやすく、基盤シートとバンド部シートに大きさが不均一の半円球状の複数の突起を設けたのでペニスを固定しやすい。そのうえ、衛生的。
【発明を実施するための最良の形態】
【０００６】  この発明の一実施形態を、図１に示す。
基盤シート１は紙製であり、この基盤シート１を覆う、浸透構造ポリエチレン製基盤シート２が一体的に設けられている。このポリエチレン製基盤シート２の下部に粘着テープ５が設けられている。
このポリエチレン製基盤シート２の上部には紙製のバンド部シート３が設けられている。バンド部シート３も浸透構造ポリエチレン製バンド部シート４で覆われている。このポリエチレン製基盤シート２とポリエチレン製バンド部シート４の向かい合う内側部分に、大きさが不均一の半円球状の複数の突起が設けられている。【０００７】「実施形態の効果」
この実施形態によれば、バンド部シート３の働きで、バンド部シート３と基盤シート１とでペニスを挟むことにより、また、基盤シート１とバンド部シート３を覆う、大きさが不均一の半円球状の複数の突起が設けられているポリエチレン製基盤シート２とポリエチレン製バンド部シート４とでペニスを固定し横にズレにくい。したがって、ペニスを心地良く固定しやすい。
バンド部シート３が紙製なので、痛くない。
ポリエチレン製基盤シート２とポリエチレン製バンド部シート４は、ポリエチレン製の浸透構造なので、水分が紙製の基盤シート１とバンド部シート３に吸収され、汚れが溜まりにくい。かつ、使い捨てなので衛生的である。また、ポリエチレン製基盤シート２下部の粘着テープ５により、ペニス固定の位置を調節できる。【０００８】「他の実施形態」
図１の実施形態では、浸透構造ポリエチレン製基盤シート２及びポリエチレン製バンド部シート４の向かい合う内側にペニス横スベリ防止用に大きさが不均一の半円球状の複数の突起であったが、他の実施形態では、ペニス横スベリ防止用として凹凸の溝を複数設けたものでも良い。
【図面の簡単な説明】
【０００９】
【図１】この発明の一実施形態を示す斜視図である。
【図２】この発明の一実施形態を示す上から見た図である。
【図３】この発明の一実施形態を示す下から見た図である。
【符号の説明】
【００１０】    １  基盤シート      ２  ポリエチレン製基盤シート
３  バンド部シート  ４  ポリエチレン製バンド部シート
５  粘着テープ
【図１】
2007002381.tif 000003
【図２】
2007002381.tif 000004
【図３】
2007002381.tif 000005